【事件の表示】
　特許第３２５９３６６号「遠隔操作装置」の請求項１に係る特許に対する特許異議の申立てについて、次のとおり決定する。
【結　論】
　訂正を認める。
　特許第３２５９３６６号の請求項１に係る特許を維持する。
【理　由】
１．手続の経緯
　
　特許第３２５９３６６号の請求項１に係る発明についての出願は、平成４年１０月３０日の出願であって、平成１３年１２月１４日にその特許についての特許権の設定がなされ、その後、その特許について、特許異議申立人大木茂により特許異議の申立がなされ、取消理由が通知され、その指定期間内である平成１５年１月２７日に訂正請求がなされたものである。
　
２．訂正の適否についての判断
　
（１）訂正の内容
　
　特許権者が求めている訂正の内容は、以下のとおりである。
　
　ａ．本件請求項１の記載を、
　「映像出力装置と該映像出力装置から出力された映像信号を表示する表示部とを遠隔操作する遠隔操作装置において、
　前記表示部は、眼鏡型ビューワであり、
　前記映像出力装置を遠隔操作するための操作部と、該操作部の出力信号を処理し遠隔操作信号を該映像出力装置に発する制御部と、該制御部からの制御信号によりキャラクタ信号を発生し上記表示部に表示させる表示出力部とを備え、
　前記制御部が、前記操作部の出力信号に基づいて
、操作メニューを前記表示出力部を介して表示させる制御信号と操作の確認音を出力させる制御信号とを発する共に、
を特徴とする遠隔操作装置。」と訂正する。
　
　ｂ．公報中の【課題を解決するための手段】における請求項１に対応する記載を、
「上記の目的を達成するため、本発明の遠隔操作装置においては、第１の目的の達成手段として、請求項１に記載するように、映像出力装置と該映像出力装置から出力された映像信号を表示する表示部とを遠隔操作する遠隔操作装置において、前記表示部は、眼鏡型ビューワであり、前記映像出力装置を遠隔操作するための操作部と、該操作部の出力信号を処理し遠隔操作信号を該映像出力装置に発する制御部と、該制御部からの制御信号によりキャラクタ信号を発生し上記表示部に表示させる表示出力部とを備え、
　前記制御部が、前記操作部の出力信号に基づいて
、操作メニューを前記表示出力部を介して表示させる制御信号と操作の確認音を出力させる制御信号とを発する共に、
　なお、いずれも下線部分が訂正個所である。
　
（２）訂正の目的の適否、新規事項の有無及び拡張・変更の存否
　
　上記訂正事項ａ．は、特許明細書の段落番号【００１７】の記載に基づく特許請求の範囲の減縮を目的とした明細書の訂正に該当し、また、上記訂正事項ｂ．は、特許請求の範囲と発明の詳細な説明との整合をとるための明瞭でない記載の釈明を目的とした明細書の訂正に該当し、いずれも、新規事項の追加に該当せず、実質上特許請求の範囲を拡張し、又は変更するものではない。
　
（３）むすび
　
　以上のとおりであるから、上記訂正は、特許法第１２０条の４第３項において準用する平成６年法律第１１６号による改正前の特許法第１２６条第１項ただし書、第２項及び第３項の規定に適合するので、当該訂正を認める。
　
　
３．特許異議の申立についての判断
　
（１）申立ての理由の概要
　
　申立人大木茂は、証拠として、
　甲第１号証：特願平４−１３３８５５号（特開平５−３２８４０８号公報）（以下「先願明細書１」という。）
　甲第２号証：特願平３−９６７７１号（特開平５−３０３４６５号公報）（以下「先願明細書２」という。）　
　甲第３号証：特開平４−２４１８９４号公報（以下「刊行物１」という。）
　甲第４号証：特開平１−３１４０７７号公報（以下「刊行物２」という。）
　甲第５号証：特開平１−２５８１１７号公報（以下「刊行物３」という。）
を提出し、本件特許の請求項１に係る発明は甲第１号証又は甲第２号証に実質的に記載されている発明であるから、特許法第２９条の２の規定により特許を受けることができないもの、さらに、本件特許の請求項１に係る発明は甲第３号証の記載、あるいは甲第３号証及び甲第４号証又は甲第３号証及び甲第５号証の記載のいずれかに基づき当業者が容易になしえたものであるから、特許法第２９条第２項の規定により特許を受けることができないものである旨主張している。
　
（２）本件発明
　
　上記訂正請求により訂正された訂正明細書の特許請求の範囲の請求項１に係る発明（以下「本件発明」という。）は、その請求項１に記載された次のとおりのものである。
　
「【請求項１】映像出力装置と該映像出力装置から出力された映像信号を表示する表示部とを遠隔操作する遠隔操作装置において、
前記表示部は、眼鏡型ビューワであり、
前記映像出力装置を遠隔操作するための操作部と、該操作部の出力信号を処理し遠隔操作信号を該映像出力装置に発する制御部と、該制御部からの制御信号によりキャラクタ信号を発生し上記表示部に表示させる表示出力部とを備え、
前記制御部が、前記操作部の出力信号に基づいて、操作メニューを前記表示出力部を介して表示させる制御信号と操作の確認音を出力させる制御信号とを発する共に、該操作メニューの選択操作により選択された操作に対応する遠隔操作信号を前記映像出力装置に発することを特徴とする遠隔操作装置。」
　
（３）先願明細書及び刊行物記載の発明
　
　先願明細書１には、ヘッド・マウンテッド・ディスプレイ装置に関し、図面と共に「次に、本発明の第２実施例を図２を参照にして説明する。本実施例の概略図を図２（ａ）、（ｂ）に示す。両図において、画像生成装置１１からの信号は、画像表示素子４（４Ｌ、４Ｒ）に送られる。ここで、使用者は、この電子画像と外界像を見ながら、コントローラ１５で電子画像の結像位置を調節する。具体的には、コントローラ１５の信号により左目画像と右目画像の視差を変えることで、結像位置を変えることができる。このコントロール１５の信号は、視差決定装置３７で視差に関する信号に変換される。図２（ａ）では、この視差信号は、画像生成装置１１に送られ、そして、この信号を基に左目像と右目像を生成し、画像表示素子４へ送る。…（中略）…電子像の動き方向をメニューバーとして電子像で表示してこのメニューバーを選択することで電子像を動かす方法等もある。このように、コントローラ１５で左目像と右目像の視差を変化させるのだが、同時に視度も調節できるようにすることによって、より見やすい画像を提供することができる。」（３頁左欄２７行〜右欄１６行）が記載されている。
　
　同じく、先願明細書２には、頭部に装着して使用可能な小型の一体形入出力装置に関し、図面と共に「図１は本発明のブロック図である。この図において、１は頭部に装着される一体形入出力装置の主要部であり、２の小型表示装置、３の視線検出装置、４の赤外線等による参照光線などから構成される。５は手元で操作して入力の指示を与えるための手元スイッチである。…（中略）…表示制御部１０は、コンピュータ２０の出力する画像データ、あるいは、視点カーソル表示部１２に出力するカーソルパターンデータをストアし、小型表示装置２を制御する信号に変換して出力する。手元スイッチ５は、通常のマウスにおけるボタンに相当するものであり、画面上のメニューのクリックやアイコンのドラッグなどといった操作を行うために使用する。オン／オフ検出部１３は、手元スイッチ５のオン／オフを検出してコンピュータ２０へ通知する。例えば、メニューリストの中で視点カーソルの置かれたメニュー項目が反転表示されている状態で、本手元スイッチ５が押されるとオン／オフ検出部１３がその発生をコンピュータ２０へ通知し、メニュー項目の選択を判定することができる。」（２頁右欄１６行〜３頁左欄１５行）が記載されている。
　
　同じく、刊行物１には、頭部搭載テレビゲーム機に関し、図面と共に「駆動回路基板１６の中央前面にはゲーム等のソフトウエアが収納してあるソフトウエアカートリッジ１７が該駆動回路基板１６の後方中央に固着された接続コネクタ１８に前方向から差し込み装着される。前記駆動回路基盤１６には液晶表示板１１の駆動回路やコンピュータ回路が設けられ、コンピュータではソフトウエアカートリッジ１７からのソフトウエアを読み込み、手元のコントローラ８からの操作信号により情報処理をし、液晶表示用の駆動回路を介して液晶表示板１１に映像を映し、ヘッドフォン５に音信号を送くり、操作者は液晶表示板１１に映し出される映像を見ながら、コントローラ８を操作し、ゲームを進めることができる。」（２頁右欄４５行〜３頁左欄６行）が記載されている。
　
　同じく、刊行物２には、とくに被写体の撮影時に所定のタイトルおよび音声を合わせて記録することのできるカメラ一体型ＶＴＲおよびビデオカメラに関し、図面と共に「第３図に示されているように、操作者により操作部２２のタイトル選択スイッチ５２がＯＮされると、システムコントロール部２０はデジタルタイトラー部１２に制御信号を送出し、デジタルタイトラー部１２のデジタルメモリに格納されている固定タイトルのメニューを呼び出し、ＥＶＦ３２の表示画面８０に表示される。」（４頁左下欄１０行〜１６行）が記載されている。
　
　同じく、刊行物３には、特に視線による図形入力が可能な図形入力装置に関し、図面と共に「次に、本発明の図形入力装置による図形の入力方法を説明する。第５図は表示部４上への瞳孔中点の投射図、第６図は図形入力例を示す図である。…（中略）…この状態で視点を例えば第６図でのＡ図形に移動させ、図形設定キー３６を入力する。次に入力希望位置（第６図ｙ）に視点を移動させ、図形設定キー３６を入力することでＡ図形の入力が完了する。他の図形に対しても同様の操作で入力する。」（３頁左上欄３行〜右上欄１３行）が記載されている。
　
（４）対比・判断
　
（４−１）特許法第２９条の２について
　
　本件発明と先願明細書１又は２記載の発明とを対比すると、先願明細書１又は２に記載された発明は、本件発明における次に掲げる主要な事項を具備していない。
「前記制御部が、前記操作部の出力信号に基づいて、操作メニューを前記表示出力部を介して表示させる制御信号と操作の確認音を出力させる制御信号とを発する」点。
　
　したがって、本件発明は、先願明細書１又は２に記載された発明ではなく、特許法第２９条の２の規定に違反しているとはいえない。
　
（４−２）特許法第２９条第２項について
　
　本件発明と刊行物１ないし３に記載の発明を対比すると、刊行物１ないし３に記載された発明は、本件発明における上記事項を具備していないし、刊行物１ないし３には、この事項を示唆する記載もなされていない。
　また、刊行物１に記載された発明は、液晶表示板に映し出される映像を見ながら、コントローラを操作し、ゲームを進めること、刊行物２に記載された発明は、操作部のタイトル選択スイッチがＯＮされると、デジタルタイトラー部のデジタルメモリに格納されている固定タイトルのメニューを呼び出し、ＥＶＦの表示画面に表示させること、刊行物３に記載された発明は、入力図形の位置指定及びその指定位置での入力図形の指示入力を制御する制御部を有することを開示するに止まるものであるから、刊行物１ないし３に記載された発明を組み合わせたとしても上記本件発明の主要な事項を導き出すことはできない。
　そして、本件発明は、上記主要な事項により、明細書に記載された「特に操作部を見ることなく、すなわち表示部の表示画面から視線をそらすことなく映像出力装置の操作が可能になるとともに、操作キーの数を減らすことができ、かつ多機能化が容易になる。」（【発明の効果】）という効果を奏するものである。
　なお、異議申立人が提出した参考文献１には、視線指示入力装置における深層構造のメニュー選択リストに関する記載はあるが、本件発明の上記主要な事項については記載がなく、また、示唆する記載もなされていない。
　したがって、本件発明は、刊行物１ないし３に記載された発明に基づいて当業者が容易に発明をすることができたものとはいえない。 　　　　
　
（５）むすび
　
　以上のとおりであるから、特許異議申立ての理由及び証拠によっては、本件発明に係る特許を取り消すことはできない。
　また、他に本件発明に係る特許を取り消すべき理由を発見しない。
　よって、結論のとおり決定する。　
【異議決定日】
平成１５年６月１３日（２００３．６．１３）
【訂正の要旨】
　▲１▼本件請求項１の記載を、
「映像出力装置と該映像出力装置から出力された映像信号を表示する表示部とを遠隔操作する遠隔操作装置において、
　前記表示部は、眼鏡型ビューワであり、
　前記映像出力装置を遠隔操作するための操作部と、該操作部の出力信号を処理し遠隔操作信号を該映像出力装置に発する制御部と、該制御部からの制御信号によりキャラクタ信号を発生し上記表示部に表示させる表示出力部とを備え、
　前記制御部が、前記操作部の出力信号に基づいて
、操作メニューを前記表示出力部を介して表示させる制御信号と操作の確認音を出力させる制御信号とを発する共に、
を特徴とする遠隔操作装置。」と訂正する。
　▲２▼公報中の【課題を解決するための手段】における請求項１に対応する記載を、
「上記の目的を達成するため、本発明の遠隔操作装置においては、第１の目的の達成手段として、請求項１に記載するように、映像出力装置と該映像出力装置から出力された映像信号を表示する表示部とを遠隔操作する遠隔操作装置において、前記表示部は、眼鏡型ビューワであり、前記映像出力装置を遠隔操作するための操作部と、該操作部の出力信号を処理し遠隔操作信号を該映像出力装置に発する制御部と、該制御部からの制御信号によりキャラクタ信号を発生し上記表示部に表示させる表示出力部とを備え、
　前記制御部が、前記操作部の出力信号に基づいて
、操作メニューを前記表示出力部を介して表示させる制御信号と操作の確認音を出力させる制御信号とを発する共に、
（５４）【発明の名称】
遠隔操作装置
（５７）【特許請求の範囲】
　【請求項１】　映像出力装置と該映像出力装置から出力された映像信号を表示する表示部とを遠隔操作する遠隔操作装置において、
前記表示部は、眼鏡型ビューワであり、
前記映像出力装置を遠隔操作するための操作部と、該操作部の出力信号を処理し遠隔操作信号を該映像出力装置に発する制御部と、該制御部からの制御信号によりキャラクタ信号を発生し上記表示部に表示させる表示出力部とを備え、
前記制御部が、前記操作部の出力信号に基づいて、操作メニューを前記表示出力部を介して表示させる制御信号と操作の確認音を出力させる制御信号とを発する共に、該操作メニューの選択操作により選択された操作に対応する遠隔操作信号を前記映像出力装置に発することを特徴とする遠隔操作装置。
　【請求項２】　映像出力装置と該映像出力装置から出力された映像信号を表示する表示部とを遠隔操作する遠隔操作装置において、
前記表示部は、眼鏡型ビューワであり、
前記映像出力装置を遠隔操作するための操作部と、該操作部の出力信号を処理し遠隔操作信号を該映像出力装置に発する制御部と、該制御部からの制御信号によりキャラクタ信号を発生し前記表示部に表示させる表示出力部とを備え、
前記操作部に２段階の操作ができる２重構造キーを用い、前記制御部が、該操作部のいずれかのキーの第１段階の操作による出力信号により該操作部全体の配置および当該キー位置を、前記表示出力部を介して、前記表示部に表示させるとともに、該操作部のいずれかのキーの第２段階の操作による出力信号により遠隔操作信号を前記映像出力装置に発することを特徴とする遠隔操作装置。
　【請求項３】　映像出力装置と該映像出力装置から出力された映像信号を表示する表示部とを遠隔操作する遠隔操作装置において、
前記表示部は、眼鏡型ビューワであり、
前記映像出力装置を遠隔操作するための操作部と、該操作部の出力信号を処理し遠隔操作信号を該映像出力装置に発する制御部と、該制御部からの制御信号によりキャラクタ信号を発生し前記表示部に表示させる表示出力部とを備え、
前記制御部が、該操作部のいずれかのキーの１回目の操作による出力信号により該操作部全体の配置および当該キー位置を、前記表示出力部を介して、前記表示部に表示させるとともに、該キーの１回目に連続する２回目の操作による出力信号により遠隔操作信号を前記映像出力装置に発することを特徴とする遠隔操作装置。
【発明の詳細な説明】
　【産業上の利用分野】
　本発明は、ＡＶ機器の遠隔操作を行うための遠隔操作装置に関し、特に、その映像の表示手段としてヘッド装着の眼鏡型ビューワを使用する場合に好適な遠隔操作装置に関するものである。
　【従来の技術】
　映像再生装置等のＡＶ（オーディオ・ビュジュアル）機器では、その遠隔操作を行うために遠隔操作装置（以下、リモコンと記す）が用いられている。一般的なリモコンにおいては、操作キーと対象のＡＶ機器の動作が一対一で対応しており、わかりやすい利点がある。
　一方、ＡＶ機器の表示手段（モニタ）として、近年、ヘッドに装着して使用し、映像を大画面並みの迫力で一人で味わうことができる眼鏡型ビューワが注目されている。この眼鏡型ビューワは、小型のＬＣＤ（液晶ディスプレイ）パネルを眼前に配置して、接眼レンズで拡大して見るものである。このため、使用者は、使用中、外界が見えない状況におかれる。
　【発明が解決しようとする課題】
　ところで、従来のリモコンは、操作キーと実際のＡＶ機器の動作が一対一に対応していてわかりやすい反面、機能の数だけ操作キーが必要となり、逆に操作が複雑になる矛盾を持っている。このようなリモコンを上記した眼鏡型ビューワを装着して当該ＡＶ機器を遠隔操作をする場合、リモコンの操作面を直接見ないで操作することを考えると、多機能化は絶望的であり、かつ手さぐりで操作キーを押して動作した結果により初めて所望の動作か否かわかるため、正確な操作が望めない問題があった。
　本発明は、上記リモコンによる操作上の問題点を解決するためになされたものであり、その目的は、リモコンの操作部を直接見なくとも多機能な操作を正しく行なうことを可能とする遠隔操作装置を提供することにある。
　【課題を解決するための手段】
　上記の目的を達成するため、本発明の遠隔操作装置においては、第１の目的の達成手段として、請求項１に記載するように、映像出力装置と該映像出力装置から出力された映像信号を表示する表示部とを遠隔操作する遠隔操作装置において、前記表示部は、眼鏡型ビューワであり、前記映像出力装置を遠隔操作するための操作部と、該操作部の出力信号を処理し遠隔操作信号を該映像出力装置に発する制御部と、該制御部からの制御信号によりキャラクタ信号を発生し上記表示部に表示させる表示出力部とを備え、前記制御部が、前記操作部の出力信号に基づいて、操作メニューを前記表示出力部を介して表示させる制御信号と操作の確認音を出力させる制御信号とを発する共に、該操作メニューの選択操作により選択された操作に対応する遠隔操作信号を前記映像出力装置に発する構成とするか、
または、請求項２に記載するように、映像出力装置と該映像出力装置から出力された映像信号を表示する表示部とを遠隔操作する遠隔操作装置において、前記表示部は、眼鏡型ビューワであり、前記映像出力装置を遠隔操作するための操作部と、該操作部の出力信号を処理し遠隔操作信号を該映像出力装置に発する制御部と、該制御部からの制御信号によりキャラクタ信号を発生し前記表示部に表示させる表示出力部とを備え、前記操作部に２段階の操作ができる２重構造キーを用い、前記制御部が、該操作部のいづれかのキーの第１段階の操作による出力信号により該操作部全体の配置および当該キー位置を前記表示出力部を介して前記表示部に表示させるとともに、該操作部のいずれかのキーの第２段階の操作による出力信号により遠隔操作信号を前記映像出力装置に発する構成とするか、
または、請求項３に記載するように、映像出力装置と該映像出力装置から出力された映像信号を表示する表示部とを遠隔操作する遠隔操作装置において、前記表示部は、眼鏡型ビューワであり、前記映像出力装置を遠隔操作するための操作部と、該操作部の出力信号を処理し遠隔操作信号を該映像出力装置に発する制御部と、該制御部からの制御信号によりキャラクタ信号を発生し前記表示部に表示させる表示出力部とを備え、前記制御部が、該操作部のいづれかのキーの１回目の操作による出力信号により該操作部全体の配置および当該キー位置を前記表示出力部を介して前記表示部に表示させるとともに、該キーの１回目に連続する２回目の操作による出力信号により遠隔操作信号を前記映像出力装置に発する構成とする。
　【作用】
　本発明の請求項１の発明では、操作メニューを表示部に表示し、所望の操作をメニュー表示上で選択して実行することにより、操作部のキーを極限まで削減し、その削減により操作部を直接見ないで正しい操作を可能とし、かつメニューの選択により操作の多機能化を実現する。
　また、請求項２，３の発明では、操作部のキーの削減は行わず、所望の操作に対するキー操作を２段階もしくは連続２回の操作とする。第１段階もしくは１回目の操作で表示部にキー配置と操作されたキーを表示させ、操作されたキーの現在位置を知らせて、もし、所望の操作のキーでなければ、現在位置から手を動かして容易に所望の操作のキーをさがせるようにする。利用者は、当該キーが正しければ第２段階もしくは連続２回目のキー操作をする。これにより制御部から所望の遠隔操作信号が映像出力装置に発せられる。ここで、所望のキー操作を、請求項２の発明では２重構造キーを用い各段階の出力信号を制御部で処理して実現し、請求項３の発明では一つのキーの連続２回操作を制御部で判断処理して実現している。
　上記発明においては、実際に使用している表示部の画面上に、使用開始からある一定時間の経過後、長時間使用の警告表示を行い、あるいはそれとともに、制御部が使用開始からある一定時間経過後、強制的に映像出力装置の電源をオフさせることにより、長時間の使用による疲労のおそれのない正しい使用とそのための操作を促すことも可能である。
　さらに、上記発明においては、遠隔操作装置側において、映像出力装置がバッテリーダウンを検出し停止する前に、自己の電源オフ処理を行って操作部の操作により発せられる通常の遠隔操作信号が、バッテリーダウン前の不安定状態において映像出力装置に入力されないようにするとともに、映像出力装置の電源をオフさせることによって、両者の電源状態を同一にしてシステムとしての整合性を保ち、誤動作を防止することも可能である。
　【実施例】
　以下、本発明の実施例を、図面を参照して詳細に説明する。
　図１は請求項１の発明の一実施例を示す外観図である。本実施例をはじめとして以下の各実施例では、映像出力装置としてＶＴＲ（ビデオテープレコーダ）１を想定し、表示部として小型ＬＣＤを用いた眼鏡型ビューワ２（以下、単にビューワと記す）を使用する場合を例とする。図１において、３がリモコンを示し、ケーブル４，５でＶＴＲ１とビューワ２に接続されている。リモコン３の操作部にはＶＴＲ１あるいはビューワ２の操作キーとして「メニュー」（ＭＥＮＵ）キー３ａ，「＋」キー３ｂ，「−」キー３ｃ，「エンター」（ＥＮＴＥＲ）キー３ｄが設けられている。なお、「＋」，「−」キーは、シーソーのように動作するような見かけ上１つのキーとしても良い。
　図２は上記実施例におけるリモコンの回路構成を示すブロック図である。各キー３ａ〜３ｄの出力信号は、マイクロコンピュータを主要部とする制御部６に入力される。７は表示出力部に相当する画面表示部を示し、キャラクタジェネレータを備えて制御部６からの制御信号によりキャラクタを発生し、ビューワ２に操作メニュー表示を行う機能を有する。この画面表示部７は、ＶＴＲ１からビューワ２へ出力されるビデオ信号のライン間に接続されていて、上記メニュー表示をビデオ信号に重畳する。また、８は確認音出力部であり、制御部６からの制御信号でキー操作の確認音を出力する機能を有する。確認音出力部８は、ＶＴＲ１からビューワ２へ出力されるオーディオ信号のライン間に接続されていて、上記確認音をオーディオ信号に重畳する。さらに、制御部６は、メニュー方式で選択された機能に対応して遠隔操作信号に相当するコマンドを発生し、ＶＴＲ１に送る。
　以上のように構成した実施例の動作および作用を述べる。図３は本実施例の動作を説明するための制御部６における制御例を示すメニューモード遷移図であり、図４は同じくその動作を説明するためのメニュー操作例を示す図である。
　図３において、「メニュー」とは画面上にメニュー表示がなされているモードを示し、「ノーマル」とはメニュー表示がなされていないモードを示す。また、（）内はキー名称を示し、音符記号が確認音を示している。まず、「ノーマル」状態においてＭＥＮＵキーを押すと確認音がピッピッと鳴って「メニュー」モードに移り、画面には図４（ａ）に示すような記号によるメニューが表示される。メニュー表示中のカーソル位置は、例えば記号の反転表示で行う。次に利用者が「＋」キーまたは「−」キーを押すと、その都度ピッと確認音が鳴り、カーソル位置が図４（ｂ）に示すようにアップ，ダウンされる（「カーソルＵＰ」，「カーソルＤＯＷＮ」処理）。なお、このときメニュー表示の上部には現在のＶＴＲの動作モード（図例では「ＳＴＯＰ」）が表示される。こうして所望のカーソル位置を確認後ＥＮＴＥＲキーを押すと、確認音がピッピッと鳴り、メニュー表示のカーソル位置に該当する機能のコマンドが発生され、ＶＴＲに送信されて（「コマンド送信」処理）、動作モード表示が変る（図４（ｃ）の例では「ＦＦ」）。その後もメニュー状態が続き（何のキーのおさないタイムアウトによってもメ「ニュー」モードから「ノーマル」モードには戻らない）、図４（ｄ），（ｅ）に示すように、「＋」，「−」キーとＥＮＴＥＲキーにより、ＶＴＲの操作（図例ではＰＬＡＹ）ができる。「メニュー」モードから「ノーマル」モードに戻りたいときは、ＭＥＮＵキーを押すことによって行う（「メニューオフ」処理）。
　以上のとおり、本実施例によれば、眼鏡型ビューワを用いた場合のように、リモコンの操作部を見ることができない状況でも、操作キーが少ないので、ＶＴＲのリモコン操作が可能になる。また、操作キーが少なくても、メニュー選択方式により多機能化が図れる。
　図５（ａ），（ｂ）は、請求項１の発明における別の実施例を示す説明図であって、（ａ）はリモコンの外観図、（ｂ）はそれに対応するメニュー表示例である。図１の実施例ではカーソル移動用の「＋」，「−」キーが縦に配置されていて、それに対応してメニュー表示も縦に表示されていたが、本実施例では、カーソル移動用のキー３ｂ，３ｃが横に配列されていて（ＭＥＮＵキー，ＥＮＴＥＲキーは図１と同配置）、それに対応してメニュー表示を画面下部に表示した例であり、動作は図１の実施例と同様である。
　図６（ａ），（ｂ），（ｃ），（ｄ）は、上記実施例におけるリモコンの操作部の変形例を示す図である。
　まず図６（ａ）では、従来の独立キーである「ＰＬＡＹ」キー３ｅ，「ＳＴＯＰ」キー３ｆを、上記実施例の「＋」，「−」キーと兼用する例を示し、メニュー表示中はカーソルアップダウン用のキーとして機能させるものである。
　図６（ｂ）は、ローラ３ｇによるエンコーダをメニューの「＋」，「−」キーに用いる例を示している。ローラ３ｇを正方向または逆方向に回すことにより発生する出力信号で、縦型のメニュー表示のカーソルを上／下に移動させる。なお、ローラ３ｇを横回転可能に配置しても良く、この場合には図５（ｂ）に示す横型メニュー表示としてカーソルを左／右に移動させる。また、ローラ部にＥＮＴＥＲキーの機能を持たせた場合も同様である。
　図６（ｃ）および（ｄ）は「＋」，「−」キーの間に「エンター」（ＥＮＴ）キーを配置した例であり、（ｃ）では独立したカーソル移動用の「＋」，「−」キー３ｂ，３ｃの中央に「エンター」キー３ｄを配置し、（ｄ）では「＋」，「−」キーをシーソー形状のキー３ｈとし、中央を押すと「エンター」の機能をもたせている。
　次に、請求項２の発明の一実施例を述べる。図７（ａ），（ｂ）は、本実施例のリモコンの構成を示す外観図（ａ）と、キー構造を示す斜視図（ｂ）である。本実施例では、通常のリモコン９の「再生」（ＰＬＡＹ）キー９ａ，「巻き戻し」（ＲＥＷ）キー９ｂ，「早送り」（ＦＦ）キー９ｃ，「ストップ」（ＳＴＯＰ）キー９ｄのそれぞれに２重構造のキー１０を用いる。この２重構造のキー１０は、タクトスイッチ１０ｂの上にタッチスイッチ１０ａが重なっている構造を有しており、軽く触れたらタッチスイッチ１０ａがまずオンになり、押せばタクトスイッチ１０ｂもオンとなる２段階操作ができるものである。
　図８は本実施例の回路構成を示すブロック図である。基本的には、図２の構成と同様であるが、異なる点はリモコンの操作部９ｅからのキー出力信号が上記２重構造のキー１０によるものであり、かつ制御部６の処理においてモード遷移処理を必要としない点である。画面表示部７を用いて行う画面表示機能および確認音出力部８を用いて行う確認音発生機能は、図２の場合と同様である。
　図９は本実施例による動作例を示す説明図である。ここでは、ＰＬＡＹキーを操作部を見ないで押したい場合を例とする。始めに、ＰＬＡＹキーと思われるキーに触れる。すると、確認音がピッと鳴って画面には（ａ）に示すようにキーレイアウトが表示されるとともに、今触れたキー位置が点滅して表示される。図例では、そのキーがＰＬＡＹキーではなく、ＦＦキーであることがわかる。利用者は、ＰＬＡＹキーがＦＦキーの隣りにあることが示されるので、指を隣りに動して触れる。これにより、ピッという確認音とともに図９（ｂ）のように画面表示が変わり、ＰＬＡＹキーの表示が点滅されるのでＰＬＡＹキーに触れていることがわかる。利用者が、そのままＰＬＡＹキーを押せば、図９（ｃ）に示すようにピピッという確認音とともに画面のキーレイアウト表示は消え、ＰＬＡＹコマンドがＶＴＲに発せられる。上記で確認音は、コマンドを発生する時としない時で区別できるようにしている。
　以上により、本実施例によっても、眼鏡型ビューワを用いた場合のようにリモコンの操作部を見ることが困難なような状況でも、ＶＴＲのリモコン操作が可能になるとともに、キー数を増やすことができるので操作を他機能化することができる。
　なお、２重構造のキーとしてはタッチスイッチとタクトスイッチの組み合わせのほかに、重い負荷で反応するタクトスイッチの上に軽い負荷で反応するタクトスイッチを重ねたものでも良い。この場合、最初触れるというのではなく軽く押す必要がある以外は、上記タッチキー＋タクトスイッチの構成と同様である。
　また、請求項２の発明の別の実施例としては、シートスイッチのみあるいはタクトスイッチのみから成る従来と同様の構成のキーを用いたリモコンを使用し、これを図８と同様に接続して制御部６に入力する。本実施例では、前述の“触れる／押す”あるいは“軽く押す／強く押す”に対して、“押す／再度押す”ことにより、制御部において判断処理し、前述の図７の実施例と同様の動作と作用を実現する。操作キーとしてシートスイッチを用いる例では、まず、この辺と思うキーを押すことにより、操作部のレイアウト表示がなされて、押したキーが点滅して表示されるので、希望のキーであれば指を離して続けて再度押し、違っていればそのまま希望のキーへ指をずらして行けば良い。操作キーとしてタクトスイッチを用いる例では、上記シートスイッチの場合とほぼ同じ動作であるが、指を隣に移動させるとき、構造上、一度操作部から指を離す必要がある。
　次に、本発明の他の実施例について述べる。本実施例は、リモコンがビデオ・オーディオに長時間集中して使用する可能性のあるＡＶ機器（たとえば、本実施例ではＶＴＲと眼鏡型ビューワを想定している）における疲労の問題を解決するために、これを適切な形で、実際に使用する画面上に、長時間使用の警告メッセージの表示を行なうなどして注意を喚起し、正しい使用と操作を促すものである。
　図１０は、本実施例の主要部の回路構成を示すブロック図である。本リモコンは、先の実施例と同様にＶＴＲと眼鏡型ビューワの間に接続されてＶＴＲおよびビューワを操作するものである。６は制御部であり、本実施例では使用開始（例えば、ＶＴＲまたはリモコンの電源オン）からの時間の経過を監視し、以下の各部を起動する。７は画面表示部であり、ＶＴＲ等のＡＶ機器からビューワのモニタへ出力されるビデオ信号のラインの間に接続されて、制御部６の制御信号により時間の経過表示や上記長時間使用の警告メッセージの表示をモニタ画面に表示する。８は確認音出力部であり、ＡＶ機器に使用するスピーカ又はヘッドホンに確認音を出力する。１１はＡＶ機器へのコマンド発生部であり、本実施例では制御部６の制御信号によりＶＴＲ等のＡＶ機器（映像出力装置）に対し電源オフを指令する。なお、コマンド発生部１１は制御部６に内蔵しても良い。
　図１１は以上の構成の実施例の動作と作用の説明図であり、モニタ画面の表示例を示している。始めに、制御部８は電源オン時に図１１（ａ）に示すような警告メッセージ「このシステムは、３時間で自動的に電源をおとします。疲労に気を付けてお使い下さい。」を一定時間（例えば１０秒間）モニタ画面へ表示する。この表示中は、ＡＶ機器の操作は無効とし、表示終了時は確認音を出力する。続いて常時または一定時間経過毎に図１１（ｂ）に示すような使用経過時間の表示を行う。次いで、定められた時間経過後（本例では３時間後）に長時間使用の警告メッセージ「ご使用を始めて、３時間を経過しました。」を一定時間（例えば１０秒間）表示し（図１１（ｃ））、次に、電源オフの警告メッセージ「ご使用を始めて３時間を経過しました。電源をおとします。」を一定時間（例えば１０秒間）表示し（図１１（ｄ））、電源オフのコマンドをＡＶ機器へ送る。以上により、使用者の疲労の防止を図る。
　なお、簡易には電源オン時のみ警告メッセージ「疲労にお気を付けてお使い下さい。」（図１１（ａ□））のみを表示したり、図１１（ａ□）と図１１（ｂ）を表示したり、あるいは図１１（ａ□）□図１１（ｂ）□図１１（ｃ）までを表示したりしても良い。また、この警告機能は、ＡＶ機器にもしくはビューワに内蔵させても良い。
　また、本発明のもう一つの実施例について述べる。本実施例は、ＶＴＲ等のＡＶ機器のバッテリーから電源を供給されて動作するリモコンにおいて、バッテリーダウンにより動作できなくなる場合は、自分自身が動作をやめるだけでなく本体のＡＶ機器も連動して電源をオフさせてシステムの整合性を保とうとするものである。
　図１２は本実施例のリモコンの回路構成を示すブロック図である。１はＶＴＲ等のＡＶ機器であり、６は制御部であって、本実施例では、ＡＶ機器１のバッテリから電源供給を受けて動作する。リモコン３とは電源，信号（ビデオ，オーディオ），コマンドがケーブルで接続されている。１２はバッテリー残量検出手段に相当するバッテリーダウン検出部であり、制御部６はこのバッテリーダウン検出の検出信号を受けてコマンド発生部１１を介して電源オフのコマンドをＡＶ機器１へ送る。
　図１３は、本実施例の動作を示すフローチャートであり、バッテリー動作するようなＡＶ機器は通常バッテリダウンの検出を行っていて、バッテリーダウンを判別すると、本体の電源をオフし、リモコンへの電源供給もやめる。ここで、電源電圧が下がり本体がバッテリーダウンを検出する前にリモコンが動作不能になると、本体の動作に異常を起こす可能性があり、正しい操作ができなくなるおそれがある。そこで、本実施例では通常の周辺機器では行っていないバッテリーダウンの検出を、本体がバッテリーダウンを検出する前にリモコン側で検出し、リモコンの内部電源のオフ処理を行って操作部の操作による遠隔操作のコマンドの送出を阻止すると同時に、本体側に電源オフの要求を行って両者の電源状態を同一にし、システムの整合性を保つ。なお、リモコン以外に周辺機器が接続されている時は、その機器の電源も連動してオフさせる。また、この実施例は、ＡＶ機器以外にも適用可能である。
　【発明の効果】
　以上の説明で明らかなように、本発明の遠隔操作装置によれば、正しい操作および使用が可能になる。
　請求項１の発明では、特に操作部を直接見ることなく、すなわち表示部の表示画面から視線をそらすことなく映像出力装置の操作が可能になるとともに、操作キーの数を減らすことができ、かつ多機能化が容易になる。
　また、請求項２および３の発明では、特に、上記と同様に操作部を直接見ることなく映像出力装置の操作が可能になって表示部の表示画面から目をそらすことなく操作が出来るとともに、キー数が多くとも各キーの外観が独立している必要がないので、目新しいデザインが可能になる。さらにキー数が増やせるので操作の多機能化が容易になる。
　また、上記発明においては、使用者に正しい使用・操作の注意を促して映像等を長く見る場合等の疲労の防止を図ることもできる。これは、製造者責任問題の対策としても有効である。
　さらに、上記発明においては、映像出力装置がバッテリーダウンする前に、遠隔操作装置側でバッテリ残量検出により電圧低下を事前に検出して電源オフ処理を行い動作を停止させると同時に、映像出力装置の電源をオフさせることで、誤動作を防止することができ、両者の電源状態が一致してシステムとしての整合をとることもできる。
【図面の簡単な説明】
　【図１】請求項１の発明の一実施例を示す外観図
　【図２】上記実施例の回路構成を示すブロック図
　【図３】上記実施例の制御例を示すメニューモード遷移図
　【図４】上記実施例の動作を説明する操作例を示す説明図
　【図５】（ａ），（ｂ）は請求項１の発明の別の実施例を示す説明図
　【図６】（ａ），（ｂ），（ｃ），（ｄ）は請求項１の発明のリモコンの操作部の変形例を示す図
　【図７】（ａ），（ｂ）は請求項２の発明の一実施例の外観図とキー構造を示す斜視図
　【図８】上記実施例の回路構成を示すブロック図
　【図９】上記実施例の動作例を示す説明図
　【図１０】本発明の他の一実施例における回路構成を示すブロック図
　【図１１】上記実施例の動作と作用の説明図
　【図１２】本発明の他の一実施例における回路構成を示すブロック図
　【図１３】上記実施例の動作を示すフローチャート
　【符号の説明】　１…ＶＴＲ（ＡＶ機器）、２…眼鏡型ビューワ、３…リモコン（遠隔操作装置）、３ａ，３ｂ，３ｃ，３ｄ…キー、６…制御部、７…画面表示部、８…確認音出力部、１０…２重構造キー、１１…コマンド発生部